(57)【要約】  ガス検知管テンプレートが説明される。ガス検知管は、サンプリングされたガスにおける対象ガスの濃度を視覚的にまたは電子的に決定するために使用され得る。視覚的な読取りのためのガス検知管は、透明管上に印刷された、またはエッチングされた側長境界を有する。しかしながら、境界は、ガス検知管の電子的な読取りに干渉することがある。ガス検知管テンプレートの実施形態は、化学試薬に隣接する作業領域内の管上に印刷された濃度境界を有しないガス検知管を、正確にかつ確実に読み取るために使用され得る。ガス検知管テンプレートは、ガス検知管を可逆的に収容することが可能なガス検知管ホルダと、２つの目盛カードホルダとを有し得る。ガス検知管テンプレートは、ガス検知管ホルダにヒンジ接続された左側目盛ホルダおよび右側目盛ホルダを有し得る。ガス検知管テンプレートは、目盛ポケット内に可逆的に収容されることが可能な目盛カードと共に使用され得る。
2018512579.tif 000002
【特許請求の範囲】
【請求項１】
ガス検知管を可逆的に収容することが可能なガス検知管ホルダと、
前記ガス検知管ホルダの左側にヒンジ接続された左側目盛ホルダであって、前記左側目盛ホルダは、左側目盛ポケットを備える、左側目盛ホルダと、
前記ガス検知管ホルダの右側にヒンジ接続された右側目盛ホルダであって、前記右側目盛ホルダは、右側目盛ポケットを備える、右側目盛ホルダと、
前記右側目盛ポケット内に可逆的に収容されることが可能な右側目盛カードであって、前記右側目盛カードは、前記右側目盛カードの前面上の、前記ガス検知管内の対象化合物の側長を解釈するための境界の第１のセットと、前記右側目盛カードの背面上の、前記ガス検知管内の対象化合物の側長を解釈するための境界の第２のセットとを備え、前記境界の第１のセットは、前記境界の第２のセットと異なる、右側目盛カードと、
前記左側目盛ポケット内に可逆的に収容されることが可能な左側目盛カードであって、前記左側目盛カードは、前記左側目盛カードの前面の前記境界の第１のセットと、前記左側目盛カードの背面の前記境界の第２のセットとを備える、左側目盛カードと、
を備える、ガス検知管テンプレート。
【請求項２】
前記ガス検知管ホルダは、円筒状、部分的に円筒状、楕円形である、請求項１に記載のガス検知管テンプレート。
【請求項３】
前記左側目盛ホルダおよび前記右側目盛ホルダにヒンジ接続された第２の検知管ホルダを備える、請求項１に記載のガス検知管テンプレート。
【請求項４】
前記ガス検知管は、前記ガス検知管上に印刷された、対象化合物の側長を解釈するための境界のセットを有しない、請求項１に記載のガス検知管テンプレート。
【請求項５】
２つの前記右側及び左側目盛ホルダは、前記右側及び左側目盛カードの前記前面および前記背面上の前記境界を見るための少なくとも１つの透明な部分を備える、請求項１に記載のガス検知管テンプレート。
【請求項６】
前記右側及び左側目盛ポケットは、前記右側及び左側目盛ホルダの上面に位置する、請求項１に記載のガス検知管テンプレート。
【請求項７】
前記右側及び左側目盛ポケットは、前記右側及び左側目盛ホルダのエッジに位置する、請求項１に記載のガス検知管テンプレート。
【請求項８】
前記境界は、前記ガス検知管を通して引き込まれた試料における対象化合物の割合に対応する、請求項１に記載のガス検知管テンプレート。
【請求項９】
異なる前記境界は、前記ガス検知管を通して引き込まれた試料の異なる量に対応する、請求項１に記載のガス検知管テンプレート。
【請求項１０】
前記右側及び左側目盛カードは、前記対象化合物と、前記ガス検知管を通して引き込まれる試料の体積とに基づいて、オンラインソースから印刷されたものである、請求項１に記載のガス検知管テンプレート。
【請求項１１】
前記右側及び左側目盛ホルダの各々は、前記ガス検知管と前記右側及び左側目盛ホルダ内の前記右側及び左側目盛カードとを位置合わせするための位置合わせマークを備える、請求項１に記載のガス検知管テンプレート。
【請求項１２】
前記ガス検知管ホルダ内に前記ガス検知管を確実に保持することが可能な保持器アセンブリを備える、請求項１に記載のガス検知管テンプレート。
【請求項１３】
試薬を含むガス検知管であって、前記試薬は、対象化合物への曝露により色を変化させ、前記ガス検知管は、取得された側長に基づいた、前記ガス検知管を通して引き込まれた試料における前記対象化合物の割合に対応する境界を有しない、ガス検知管と、
２枚の第１の目盛カードであって、各第１のカードは、前面と背面との両方に境界を備え、前記境界は、取得された側長に基づいた、前記ガス検知管を通して引き込まれた試料における対象化合物の割合に対応し、前記第１の目盛カードの前記前面上の前記境界は、前記第１の目盛カードの前記背面上の前記境界と異なる、２枚の第１の目盛カードと、
前記ガス検知管を取り外し可能に収容するためのホルダと、前記２枚の第１の目盛カードを可逆的に収容するための２つのポケットと、前記試料における前記対象化合物の前記割合を適切に読み取るために前記第１の目盛カードを位置合わせするための位置合わせ印と、を備える、ガス検知管ホルダアセンブリと、
を備える、ガス検知管を解釈するためのキット。
【請求項１４】
２枚の付加的な目盛カードを備え、各付加的な目盛カードは、取得された側長に基づいた、前記ガス検知管を通して引き込まれた試料における第２の対象化合物の割合に対応する境界を備え、前記付加的な目盛カード上の前記境界は、前記第１の目盛カード上の前記境界と異なる、請求項１３に記載のガス検知管を解釈するためのキット。
【請求項１５】
電子ガス検知管読取り機を備える、請求項１３に記載のガス検知管を解釈するためのキット。
【発明の詳細な説明】
【技術分野】
【０００１】
関連出願
本出願は、２０１５年３月５日に出願され、「ガス検知管テンプレートおよび方法」と題された米国仮特許出願第６２／１２８，５９７号について、米国特許法第１１９条（ａ）に基づく優先権を主張する。
【０００２】
本発明は、ガス検知管を読み取るためのガス検知管、装置、キット、およびデバイス、ならびにガス検知管を読み取る方法に関する。装置、キット、およびデバイスの実施形態は、ガスの少なくとも１つの対象化合物のおよその濃度を検出し、決定するために使用されることが可能である。ガス検知管は、透明管と、対象化合物または対象化合物群と接触した際に色を変化させることが可能な化学試薬とを備える。本装置、本システム、および本方法は、サンプリングされたガス内の対象化合物の濃度を決定するために、化学試薬の比色変化を利便性良く読み取り、変換し、および／または解釈することを可能にする。
【０００３】
ガス検知管にガスを通過させることによって環境をサンプリングした後、結果として生じた色変化は、手動でまたは電子的に側長として測定され得る。側長は、化学試薬が化学反応による色変化を経た度合いと、ガス検知管を通って引き込まれた試料の体積とを測定することによって、対象ガスの濃度に相関され得る。ガス検知管の実施形態において、側長および／または色変化は、対象ガスの濃度境界を管上に印刷せずに、検知管に関連付けられた境界を備える目盛カードを用いて、視覚的に決定され得る。
【背景技術】
【０００４】
ガス混合物の一定のガス状成分の濃度を測定するための多種多様な装置がある。ガス検知管、比色管、またはガス標識管（「ガス検知管」）と称される単純な装置は、典型的には、透明管と、透明管内の化学試薬とを備えており、この試薬は、対象化合物と反応して、この試薬の色変化をもたらすことが可能である。典型的な比色ガス検知管では、既知の体積の空気が、ポンプまたは他のデバイスにより、管を通過させられる。化学試薬は、管の入口端部から色を変化させることによって、対象化合物の存在を示す。結果として生じた側長（化学試薬の色が変化した部分の長さ）は、ガスの既知の体積において管を通過したガスにおける対象化合物の濃度に依存する。比色ガス検知管は、ガスのサンプリングされた体積内の対象化合物の存在を検出するための低コストで使いやすいツールとして、産業全体で使用されている。管は、典型的には、側長が測定され得るように、ガラスまたは別の透明な材料から作製される。
【０００５】
例えば、従来のガス検知管は、特定の対象化合物に反応する化学試薬で満たされたガラス管を備える。化学試薬は、ガラス管内に密閉され、このガラス管の両端部におけるガス浸透性のプラグによって規定された位置に保持される。いくつかの場合において、化学試薬は、多孔性の化学的に中性な固体基板へ液体含浸させられ得る。使用前には、化学試薬は、使用時まで両チップの中へガス検知管の両端部を密閉することによって、汚染物質および化合物への曝露から保護され、それによって、使用前のガス検知管の有効期限を延長する。ガス検知管を使用するために、検知管の両端部のチップは折り取られて、管および試薬全体を流れるガス流路が開かれる。次いで、サンプリングされるべき空気または他のガスは、例えば、一定の体積の試料が体積測定サンプリングポンプを通って引き込まれる状態で、管を通って引き込まれ、試薬と接触させられ得る。試薬は、試料が管を通って引き込まれるにつれて、対象化合物に急速に反応することが可能である。反応の量、および試薬の色の変化の度合いは、サンプリングされたガスにおける対象化合物の濃度、管内の試薬の量、ガス管の流路面積、および試薬全体へ引き込まれたガスの体積と関連する。サンプリングされたガスは、ガス検知管の一方の端部へ引き込まれて、他方の端部から引き出されるので、試薬は、入口端部で色を変化させ始め、この色変化は出口の方へと及ぶ。色変化の全長は、一般に「側長」と称される。
【０００６】
対象化合物の濃度を決定するために、既知の体積のサンプルガスは、対象化合物と反復可能な手法で反応して色変化をもたらす既知量の試薬を含むガス検知管内へ引き込まれ得る。サンプリングの後、側長は、唯一の未知の変数、すなわち、ガスの濃度に相関するはずである。その結果、色変化の長さ、および試薬の色変化の度合いは、対象化合物の濃度に対応する。側長によってガス濃度を測定する検知管は、信頼性があり、トレーニングの後に簡単に使用することができる。
【０００７】
対象ガスの濃度を測定する際に、より高い精度を保証するために、一組のガス検知管を製造した後、既知濃度の対象化合物を有する一定体積のガスが、そのガス検知管を通過させられて、側長と対応するガス濃度とを関連させるバッチ固有の校正曲線が開発される。校正曲線は、検知管に含まれていて、サンプリングされた体積のガスの濃度を視覚的に読み取ることを可能にする。検知管は、最初に導入されて以来、それらの目盛を別々に印刷されており、例えば、Ｊ．Ｂ．  Ｌｉｔｔｌｅｆｉｅｌｄの特許文献１を参照されたい。検知管内の試薬の色変化の（管の出口端部に最も近い）先縁は、必ずしも明確に規定されるとは限らないので、目盛分割は、変色の広がりやすい前端の長さよりも大きな距離を有してマークされ得る。そのため、目盛は、分解能が不十分であり、より最近では、目盛は、管の表面上に直接印刷される。例えば、Ｄｒｅａｇｅｒ（商標）、Ｇａｓｔｅｃ（商標）、Ｋｉｔａｇａｖａ（商標）、Ａｕｅｒ（商標）、ＭＳＡ（商標）、ＲＡＹ（商標）、および検知管の他の製造業者は、自社の管上に、目盛の始まり、すなわち、最初の目盛分割を、第１の入力プラグの端部から３〜５ｍｍにマークしている。図１を参照されたい。考えられ得るチャネリング効果および他のフローダイナミクスが理由で、管の両側において目に見える、異なる長さがもたらされ、境界は、管の周りにリングとして印刷され、濃度を表わす数は、リングに近接しており、またはリングの中断された部分に存在する。知られている技術の欠点は、管上の濃度線、濃度量、および他のマークが、側長の光学的な読取りを妨げることが理由で、そのような検知管を電子デバイスによって正確に繰り返して読み取ることができないという点である。例えば、マーキングは、デバイスによって、化学試薬の色変化として不正確に解釈されることがある。
【０００８】
ガス検知管を用いてガス濃度を読み取る、より良く、より正確で、より客観的な手法の必要性が長年にわたって存在してきた。Ｈｅｉｍらは、特許文献２において、印刷物なしの検知管に基づいた、側長管電子読取り機を示している。検知管は、警告デバイスとしての役割を果たし、ある期間にわたって周期的に調べられる。Ｌｅｉｃｈｎｉｔｚらは、特許文献３において、表面の読取り可能な部分に目盛を有しない管と、校正データを含む、その管についての全ての固有データを電子読取り機内へ導入する印刷された手段とを提案した。電子読取り機のみによって読み取られるように製造された管には、著しい欠点がある。それらの管は、それらの管の境界の欠如に起因して、視覚的には同様に読み取られないことがある。
【０００９】
比色読取りデバイスの現代の技術は、光学電子読取り機のためにより一層特別に設計されたデバイスの方向へ開発されている。Ｍａｙの特許文献４は、電子読取りのためだけの管状のデバイスの構成を示している。Ｓｔａｒｋらの特許文献５、Ｒｉｅｇｅｒらの特許文献６、およびＢａｔｈｅｒらの特許文献７は、変色ゾーンの電子読取りのための特定の管状デバイスの開発を描写している。しかしながら、そのようなデバイスは、非常に特殊であり、専用の電子手段なしでは読み取ることができない。
【００１０】
試薬の比色反応によって示される大抵の色変化は、温度、相対湿度および気圧などの周囲条件にある程度依存する。
【先行技術文献】
【特許文献】
【００１１】
【特許文献１】米国特許第２，１７４，３４９号
【特許文献２】米国特許第４，１２３，２２７号
【特許文献３】米国特許第５，０６９，８７９号
【特許文献４】米国特許第５，０８９，２３２号
【特許文献５】米国特許第５，３９７，５３８号
【特許文献６】米国特許第５，４１５，８３８号
【特許文献７】米国特許第５，４６４，５８８号
【発明の概要】
【発明が解決しようとする課題】
【００１２】
濃度境界マークを含まない、比色検知管を視覚的にまたは手動で読み取るための装置、キット、デバイスおよび方法の必要性が存在する。
【課題を解決するための手段】
【００１３】
ガス検知管は、サンプリングされたガスにおける対象ガスの濃度を決定するために使用され得る。従来、ガス検知管は、試薬の側長と、透明管上に印刷された、またはエッチングされた校正曲線とを比較することによって、視覚的に読み取られてきた。しかしながら、光学画像技術によって側長を読み取り、メモリ内に記憶された校正曲線を使用することによって、この側長を対象化合物の濃度に変換することが可能な電子管読取り機。電子管読取り機は、試薬を鮮明に見ることを妨害する濃度境界を有しない透明管を備えたガス検知管と共に使用されることが好適である。
【００１４】
ガス検知管テンプレートの実施形態は、化学試薬に隣接する領域内の管上に濃度境界が印刷されていないガス検知管を、正確にかつ確実に読み取るために使用され得る。１つの実施形態において、ガス検知管テンプレートは、ガス検知管を可逆的に収容することが可能なガス検知管ホルダと、２つの目盛カードホルダとを備える。ガス検知管テンプレートは、ガス検知管ホルダの左側にヒンジ接続された左側目盛ホルダであって、左側目盛ホルダは、左側目盛ポケットを備える、左側目盛ホルダと、ガス検知管ホルダの右側にヒンジ接続された右側目盛ホルダであって、右側目盛ホルダは、右側目盛ポケットを備える、右側目盛ホルダとを備え得る。
【００１５】
ガス検知管テンプレートは、目盛ポケット内に可逆的に収容することが可能な目盛カードと共に使用されてもよく、目盛カードは、目盛カードの一方の面上、例えば、前面上に、ガス検知管内の対象化合物の側長を解釈するための境界の第１のセットを備える。目盛カードは、目盛カードの第２の面上、例えば、背面上に、ガス検知管内の対象化合物の側長を解釈するための境界の第２のセットをさらに備えてもよい。いくつかの実施形態では、境界の第１のセットは、境界の第２のセットと異なる。例えば、境界の第１のセットは、特定の対象化合物について、ガス検知管を通過させられる第１の体積のガスに対して使用されてもよく、境界の第２のセットは、特定の対象化合物について、ガス検知管を通過させられる第２の体積のガスに対して使用されてもよい。別の実施形態では、境界の第１のセットは、第１の対象化合物用とし、境界の第２のセットは、第２の対象化合物用とし得る。
【００１６】
ガス検知管テンプレートは、第２の目盛ポケット内に可逆的に収容されることが可能な第２の目盛カードであって、第２の目盛カードは、第２の目盛カードの一方の面上に境界の第１のセットを備え、第２の目盛カードの他方の面上に境界の第２のセットを備える、第２の目盛カードをさらに備え得る。上述されたように、境界の第１のセットは、特定の対象化合物について、ガス検知管を通過させられる第１の体積のガスに対して使用され得、境界の第２のセットは、特定の対象化合物について、ガス検知管を通過させられた第２の体積のガスに対して使用され得る。
【００１７】
そのため、ガス検知管テンプレートおよび方法の実施形態は、ガス検知管を利用するより正確でより柔軟な手法を可能にする光学画像技術により、視覚的な、および電子ガス検知管読取り機を用いた、ガス検知管によるガス検知の使用を可能にする。
【００１８】
本明細書において使用される用語は、特定の実施形態のみを説明するためのものであり、本発明を限定することを意図されていない。本明細書において、「および／または」という用語は、関連付けられた列挙されるアイテムのうちの１つまたは複数のいずれか、およびあらゆる組み合わせを含む。本明細書において、「ある」、「１つの」、および「その」という単数形は、文脈が他の意味を明確に示さない限り、単数形だけでなく複数形も含むことを意図されている。この明細書において使用される場合、「備える」および／または「含む」という用語は、述べられた特徴、ステップ、動作、要素、および／または構成要素の存在を特定するが、１つまたは複数の他の特徴、ステップ、動作、要素、構成要素、および／または、それらのグループの存在もしくは追加を排除しないことが、さらに理解されるであろう。
【００１９】
他に別段の定めがない限り、本明細書において使用される全ての用語（技術用語および科学用語を含む）は、本発明が属する技術の当業者によって一般に理解される意味と同じ意味を有する。一般に使用される辞書において定義される用語などの用語は、関連する技術および本開示の文脈におけるそれらの意味と一致する意味を有すると解釈されるべきであり、本明細書において明示的に定義されない限り、理想的な意味または過度に形式的な意味では解釈されないことが、さらに理解されるであろう。
【００２０】
本発明を説明するにあたり、複数の技法およびステップが開示されることが理解されるであろう。これらの各々は、個々の利点を有しており、各々が、他の開示される技法のうちの１つもしくは複数と共に、または、いくつかの場合には、他の開示される技法の全部と共に使用され得る。したがって、明確さのために、本説明は、個々のステップのあらゆる考え得る組み合わせを不必要に繰り返すことを控えるであろう。それでもなお、本明細書および本特許請求の範囲は、そのような組み合わせが本発明および本特許請求の範囲の範囲内に完全に収まるという理解の下で、読まれるべきである。
【図面の簡単な説明】
【００２１】
【図１Ａ】従来のガス検知管を示す図である。
【図１Ｂ】従来のガス検知管を示す図である。
【図１Ｃ】従来のガス検知管を示す図である。
【図２】ガス検知管ホルダと、目盛カードを取り外し可能に収容するためのポケットを備えた左翼部および右翼部とを備えるガス検知管テンプレートであって、両翼部が、ガス検知管ホルダに対して回動するようにヒンジで固定されている、ガス検知管テンプレートを示す図である。
【図２Ａ】ガス検知管保持器を備えたガス検知管ホルダと、目盛カードを取り外し可能に収容するためのポケットを備えた左翼部および右翼部とを備えるガス検知管テンプレートであって、両翼部が、ガス検知管ホルダに対して回動するようにヒンジで固定されている、ガス検知管テンプレートを示す図である。
【図３】ガス検知管保持器の異なる実施形態と、目盛ホルダの上面上の目盛ポケットとを備えるガス検知管テンプレートの平面図である。
【図４】様々な形状を有するガス検知管ホルダを備えるガス検知管テンプレートの異なる実施形態を示す図である。
【図５】様々な形状を有するガス検知管ホルダを備えるガス検知管テンプレートの異なる実施形態を示す図である。
【図６】様々な形状を有するガス検知管ホルダを備えるガス検知管テンプレートの異なる実施形態を示す図である。
【図７】ガス検知管ホルダと、目盛ポケット内に取り外し可能に挿入された目盛カードを備えた左翼部および右翼部とを備えるガス検知管テンプレートであって、両翼部が、ガス検知管ホルダに対して回動するようにヒンジで固定されている、ガス検知管テンプレートを示す図である。
【図７Ｂ】図７のガス検知管テンプレートが折り畳まれた実施形態を示す図である。
【図７Ｃ】ガス検知管位置合わせアセンブリを備えるガス検知管テンプレートを示す図である。
【発明を実施するための形態】
【００２２】
ガス検知管は、サンプリングされたガスにおける対象ガスの濃度を正確に繰り返し決定するために使用され得る。従来、ガス検知管は、ガス検知管内のその対応する対象化合物に対して曝露された試薬の側長と、透明管上に印刷された校正曲線とを比較することによって、視覚的に読み取られてきた。しかしながら、光学画像技術によって側長を読み取り、メモリ内に記憶された校正曲線を使用することによって側長を対象化合物の濃度に変換することが可能な電子管読取り機は、試薬を完全に見ることを妨害する濃度境界を有しない透明管を備えたガス検知管と共に使用されることが好適である。
【００２３】
本明細書において、「透明管」という用語は、ガス検知管の管が、化学試薬の側長を見るため、または電子的に読み取るための管の作業領域内に、境界または障害物を有しないことを意味する。
【００２４】
本明細書において、「作業領域」という用語は、読取り可能な範囲にわたる、その最小濃度数値とその最大濃度数値との間の側長を見るため、または電子的に読み取るために使用される領域である。
【００２５】
ガス検知管テンプレートは、化学試薬に隣接する領域内の管上に濃度境界が印刷されていないガス検知管を、正確にかつ確実に読み取るために使用され得る。１つの実施形態において、ガス検知管テンプレートは、ガス検知管を可逆的に収容することが可能なガス検知管ホルダと、２つの目盛カードホルダとを備える。ガス検知管テンプレートは、ガス検知管ホルダの左側にヒンジ接続された左側目盛ホルダであって、左側目盛ポケットを含む左側目盛ホルダと、ガス検知管ホルダの右側にヒンジ接続された右側目盛ホルダであって、右側目盛ポケットを含む右側目盛ホルダとを備え得る。
【００２６】
ガス検知管は、サンプルガスにおける少なくとも１つの対象ガス、同様の官能基を備える対象ガス族、または対象ガス群（集団的に「対象ガス」）の濃度を決定するために、典型的には、特殊な化学試薬を用いて製造される。ガス検知管用の典型的な化学試薬は、ガス検知管の入口からガス検知管の出口へガスが流れることを可能にする経路を粒子間に備えた多孔性の固形粒子を備え、または化学試薬は、多孔性の固体基板の表面上に存在する。化学試薬は、試薬が化学試薬と接触した場合に色を変化させ（「比色反応」）、典型的には、化学試薬と対象ガスとは、反応して色変化をもたらすであろう。試料がガス検知管を通過するにつれて、サンプリングされたガスから対象ガスが枯渇するまで、対象ガスは化学試薬との比色反応に関与する。ガス検知管において使用される多くの試薬が知られており、ガス検知管の実施形態に適用可能である。試料は、典型的には、サンプリングポンプによってガス検知管を通って引き込まれる。一般的な試料ポンプは、既知の体積の空気を正確に繰り返し引き込むことが可能な、携帯型のピストンポンプまたはベローズポンプを含む。
【００２７】
典型的には、化学試薬は、管内の試薬の両端部にある２つの多孔性の固体栓によって、管内の適所に固定される。対象ガスを含むサンプルガスが、ガス検知管の入口を通って引き込まれるにつれて、入口近くの化学試薬は色を変化させ始め、対象ガスの濃度が、ガス検知管の読取り可能な濃度範囲内である場合には、管の出口近くの化学試薬は不変のままであろう。管内の試薬の色変化の長さ（「側長」）は、ガス検知管を通過させられた対象ガスの総量に対応するであろう。既知の体積のガスが管を通過させられる場合、対象ガスの濃度が決定され得る。従来のガス検知管は、既知の体積のサンプリングされたガスについて対象ガスの濃度を近似するために使用され得る、化学試薬上のガラス管に印刷された目盛を有する。各ガス検知管は、対象ガスについての読取り可能な濃度範囲を有しており、ある体積の試料についてガス濃度範囲を超過した場合、化学試薬は、その全長にわたって色を変化させることになり、対象ガスの濃度は、従来は決定することができず、または、対象ガスの濃度が低すぎる場合、化学試薬は、対象ガスの濃度を決定するために十分な色変化を記録しないことがある。そのような場合には、適当な濃度範囲を備えた異なる管が使用されてもよく、またはサンプリングされるガスの体積が、目盛内の数値となるように増加され、もしくは減少されてもよい。いくつかのガス検知器ポンプおよびガス検知管システムの場合、サンプリングされた体積の最大で５倍までの増加が推奨される。その結果、ガス検知管の目盛は、異なるサンプル体積を考慮するために調整されなければならず、ガス検知管上に印刷された境界は、試料における対象ガスの濃度を正確には示さない。
【００２８】
ガス検知管は、電子ガス検知管読取り機によって電子的に読み取られてもよく、または、側長とガス検知管テンプレート内に挿入された１つもしくは複数の目盛との単純な比較により、ユーザによって視覚的に読み取られてもよい。ガス検知管の実施形態は、ガス検知管の作業領域における境界または他のマーキングによる試薬への妨害なしに、視覚的に、または電子ガス検知管読取り機によって、読み取られ得る。さらに、実施形態は、管を通して試料を引き込んだ後に、側長を読み取るために必要な試薬の一部の視界を妨げるマーキング、境界、または陰影を含まない管表面を備えるガス検知管を含む。任意の数の目盛が、ガス検知管と共に使用されてもよい。例えば、１つの実施形態では、各ガス検知管は、この検知管を通して引き込まれた試料の体積に基づいたガス濃度と、試料における対象化合物の濃度とを視覚的に読み取るために、２〜５個の異なる目盛を含んでもよい。例えば、図１Ａに示されるガス検知管は、３つの異なる濃度範囲の対象濃度の用途のために設計されている。
【００２９】
図１Ａ、図１Ｂおよび図１Ｃのガス検知管１０は、透明管１１を備える。使用前の貯蔵中には、透明管は、入口端においてチップ１２により密閉され、出口端においてチップ１３により密閉される。本明細書において、「管」とは、任意の断面形状の流路を画定する導管を意味する。断面形状は、円形、楕円形、長方形、正方形、長方形、多角形、または任意の所望の横断面形状であってよい。管は、当業者によって理解されるように、管を密閉するためのキャップ、隔壁または他の手段を使用し、チップのために管の両端を単純に加熱し、つまむことによって密閉され得る。
【００３０】
ガス検知管の実施形態は、ガラスから、または、例えば、アクリル、ポリカーボネート、ポリエチレンとポリプロピレンとの共重合体、ポリエステル、および他の透明材料などであるが、これらに限定されない透明プラスチックから作製された透明管１１を含み得る。ガス検知管は、取得された側長と、ガス検知管を通して引き込まれた試料の体積とに基づいた、ガス検知管を通して引き込まれた試料内の対象化合物の割合に対応する境界１４も含み得る。前述したように、付加的な補償係数が使用されてもよい。
【００３１】
例えば、標準的なガス検知管ポンプの１回のポンプストローク（１００ミリリットル）の場合、図１Ａのガス検知管は、この管を通して引き込まれた１００ミリリットルの試料における対象化合物の２％から２０％の間の濃度を適切に示し得る。
【００３２】
１回のポンプストローク（ｎ＝１）が、対象化合物の濃度が２％より高いことを示す側長を生成しない場合、１００ミリリットルの付加的なポンプストローク（合計２回のポンプストローク、すなわち、ｎ＝２）が、図１Ａのガス検知管を通して引き込まれ得る。しかしながら、ガス検知管のガラス上に印刷された境界は、１回のポンプストロークと共に使用されるべきものであるので、２００ミリリットルの試料における対象化合物の実際の濃度を示すためには、濃度値を２で除算する必要がある。その結果、ガス検知管は、管を通して引き込まれた２００ミリリットルの試料における対象化合物の１％から１０％の間の濃度を適切に示し得る。
【００３３】
さらに、１回のポンプストローク（ｎ＝１）が、対象化合物の濃度が２０％より高いことを示す側長を生成する場合、読み取られた値は、適切に解釈され得ず、ガス検知管は、廃棄されなければならない。新しい同様のガス検知管が、図１Ａの新しいガス検知管を通して５０ミリリットルの半回のポンプストローク（ｎ＝１／２）が引き込まれる状態で、使用されてもよい。しかしながら、ガス検知管のガラス上に印刷された境界は、１回１００ミリリットルのポンプストローク（ｎ＝１）と共に使用されるべきものであるので、５０ミリリットルの試料における対象化合物の実際の濃度を示すためには、濃度値に２が乗算される必要がある。その結果、ガス検知管は、管を通して引き込まれた５０ミリリットルの試料における対象化合物の２０％から４０％の間の濃度を適切に示し得る。
【００３４】
ガス検知管の光学電子的な読取りを改善するために、作業領域内の化学試薬上の透明な部分に境界が印刷されていないガス検知管が推奨される。したがって、いくつかのガス検知管は、そのガス検知管上に目盛が印刷されておらず、エッチングされておらず、または他の方法で適用されていないことが好適である。手動で読み取られるべき検知管が、電子管読取り機において使用され得るものと同じ検知管であることは、より低い在庫レベルを確保し、さらに、在庫が劣化しないという保証をより一層確保する。同じ在庫のマークされていないガラス検知管は、管読取り機において使用されることが可能であり、または、ガス検知管テンプレートと、検知管のそれぞれのボックスに提供される少なくとも２つの目盛カード上の２つの印刷された目盛（表と裏）とを用いて、手動で読み取られることが可能である。また、付加的な目盛カードが、同じ管に対して提供されて、単一の管部品番号により測定され得る用途の数を増加させ得る。
【００３５】
目盛境界のないガス検知管は、別個の目盛なしでは、視覚的に直接読み取ることができない。しかしながら、ガス検知管の視覚的な読取りは、検知管を通して引き込まれた試料の異なる体積（ポンプストロークの回数）に必要な目盛および／または計算の種類によって複雑になる。操作者は、忘れずにストローク数を数え、次いで、管マーキングを読み取って、ガス検知管の目盛境界からの濃度読取りを適切に計算するために必要な係数を決定しなければならない。
【００３６】
ガス検知管テンプレートは、ガス検知管における側長を確実に読み取るために、電子管読取り機と共に使用され得る。ガス検知管テンプレートは、電子管読取り機の読取りを確認するために、または電子管読取り機で問題が生じた場合に、ガス検知管を手動で読み取るために、各電子検出管読取りアセンブリを備えてもよい。１つの実施形態において、ガス検知管テンプレートは、管読取り機本体に拘束され、もしくはストラップで固定され、または、目盛読取り機テンプレートは、このテンプレートが電子管読取り機で利用可能なように、電子管読取り機アセンブリに格納される。
【００３７】
ガス検知管テンプレートの実施形態は、ガス検知管を可逆的に収容することができるガス検知管ホルダと、ガス検知管筐体に接続された少なくとも２つの翼部または目盛ホルダとを備える。各翼部または目盛ホルダは、ガス検知管における側長を解釈するための少なくとも１枚の目盛カードを可逆的に収容するためのポケットを備える。目盛ホルダは、両面上に透明な部分を含んでもよく、その結果、目盛カードの両面上の境界が透明な部分を通して見られて、ガス検知管における側長が解釈され得る。
【００３８】
目盛カードの１つまたは複数のセットは、各ガス検知管と共に使用するために設計され得る。ガス検知管キットの実施形態は、特殊な化学試薬と、ガス検知管の各ボックスに含まれたいくつかの目盛カードとを含むガス検知管を備え、それにより、有効にされた検知管の変色層の値を境界のない電子管読取り機を用いて読み取ることができ、または、この管読取り機がバッテリ切れを起こしており、もしくは何らかの他の問題を有する場合には、適当な目盛カードを備えたガス検知管テンプレートを使用することによって、検知管は、手動で読み取られ得る。
【００３９】
目盛が両面上に印刷された２枚の目盛カードの例が、以下に示される。第１の目盛カードは、前面Ａと背面Ｂとを有しており、第２の翼部に挿入するための第２の対応する目盛カードは、前面Ｃと背面Ｄとを有する。
【００４０】
【表１】
2018512579.tif 000003
【００４１】
第１および第２の目盛カードは、どちらも正面が前方に面した状態で挿入されてもよく、または、これらの目盛カードは、一方の正面が前方に面し、一方の背面が前方に面した状態で両ポケット内に配置されてもよい。例えば、Ａ側およびＣ側が、管読取り機の両翼部において共に使用されてもよい。各セットは、２つの前面上に２つの同一の目盛を有し、２つの背面については紙面上に異なる同一の目盛を有する。
【００４２】
ガス検知管ホルダは、側長が解釈され得るようにガス検知管を確実に保持することが可能な任意の形状であり得る。例えば、ホルダは、円筒状（図４を参照）、部分的に円筒状、長方形流路（図５および図６を参照）、楕円形、またはこれらの形状の組み合わせ、または他の適当な形状であってもよい。管ホルダは、目盛上の境界と適切に位置合わせされた場所にガス検知管を保持するための保持器アセンブリまたはストップをさらに備え得る。ガス検知管テンプレート４０の保持器アセンブリは、ガス検知管を適所に保持するための少なくとも２つの保持器突起部５１を備える。保持器突起部は、例えば、天然ゴムもしくは合成ゴム、プラスチック、または他の弾性材料から作製され得る。保持器アセンブリは、ホルダ内に管を配置した後に管上で回転され得る腕部、または保持ループ（例えば、図３を参照）もしくはストラップであり得る保持器をさらに備えてもよい。ガス検知管ホルダは、ホルダ２１内にガス検知管を適切に配置するためのストップ３３をさらに備えてもよい。ストップ３３は、目盛上の境界とガス検知管とを位置合わせするのを支援するために調整可能であり得る。（図７Ｃを参照）
【００４３】
ガス検知管テンプレート２０の例は、図２に示されている。ガス検知管テンプレート２０は、部分的に円筒状の形状を有するガス検知管ホルダ２１を備える。典型的には、ガス検知管は、５ｍｍまたは７ｍｍの外径を有する。したがって、ガス検知管ホルダ２１の内側半径Ｒは、ガス検知管の一方または両方のサイズのいずれかに適合するような大きさとされる。ガス検知管テンプレート２０は、ガス検知管ホルダ２１に接続された左翼部または目盛ホルダ２２Ａ、および右翼部または目盛ホルダ２２Ｂも備える。各翼部は、取得された側長に基づいて、ガス検知管を通して引き込まれた試料における対象化合物の割合に対応するカード境界を可逆的に収容することが可能なポケット（左側目盛ポケット２３Ａおよび右側目盛ポケット２３Ｂ）を備える。図１、図２、図２Ａ、図７Ａおよび図７Ｂに示される実施形態では、ポケットは、目盛ホルダのエッジに位置する。目盛カードは、例えば、紙、ボール紙、またはプラスチックから作製されてもよい。２枚の目盛カードは、前面と背面とに異なる目盛が印刷されていてもよい。目盛カードは、目盛カードポケット内に確実に適合するような大きさとされ得るが、適切に挿入された場合であってもなお、目盛カードが取り外しのためにつかまれることを可能にするようにポケットの外へ延在する。そのような実施形態では、目盛カードは、目盛カードポケットよりも大きな表面積を有する。
【００４４】
２枚の目盛カードは、目盛カードの一方の側に１つの検知管目盛が印刷され、他方の側に異なる目盛が印刷されていてもよい。１つの実施形態において、ガス検知管テンプレートは、目盛カードとテンプレートおよび／または検知管とを適切に位置合わせするのを支援するために、目盛カードの切り欠きと適合する隆起部分を有するであろう。
【００４５】
いくつかの実施形態では、ガス検知管ホルダは、目盛ホルダテンプレートの両翼部の目盛が読み取られている検知管に対して、目盛ホルダの両翼部が水平に横たわり、または斜めに起こされることを可能にするヒンジを中心に有する。ガス検知管の外周の周りの目盛カード翼部の回転は、対象ガス濃度のより正確な読取りを可能にする。なぜならば、側長は、チャネリングまたは他の理由に起因して、化学試薬における異なる場所において異なり得るからである。例えば、ガス検知管テンプレート２０の実施形態は、ガス検知管ホルダ２１に組み込まれたヒンジ接続２５をさらに備えてもよい。ヒンジ接続は、目盛ホルダまたは翼部がガス検知管の外周に沿って回転して、管内および管の周りの様々な位置において側長をより良好に読み取ることを可能にする。多くの場合、側長は、個々の終点を有しておらず、側長の先縁は、不規則であったり、尖っていたり、またはチャネル状であったりすることがある。ガス検知管の外周の周りに目盛を回転させることは、ガス検知管のより正確な読取りを可能にする。また、翼部２２Ａ、２２Ｂは、例えば、ポケット２３Ｂ内に挿入された目盛カードの対向面が上面に示されるように回転され得る。一定の実施形態では、ヒンジは、２つの翼部の間に検知管が置かれるための空間を作るために、テンプレートが別々に摺動することを可能にする。ヒンジは、機械的なヒンジであっても、または弾性材料、例えば、プラスチックもしくはゴムから作製されたヒンジであてもよい。
【００４６】
ガス検知管テンプレート２０の実施形態は、翼部２２Ａ、２３Ａが図２Ａに示された方向θに回転され得るように、ヒンジ２５も含み得る。右側ホルダ歯部２６Ａは、右側ホルダ歯部２６Ｂから分離されており、ガス検知管ホルダ２１を開いて、ガス検知管がガス検知管ホルダ２１内に配置されることを可能にする。ヒンジが（図２Ａに示される）元の位置に戻されると、歯部２６Ａおよび２６Ｂは、ガス検知管をガス検知管ホルダ２１内に保つ。
【００４７】
図３は、両翼部の上面にはめ込まれたポケット２３Ａ、２３Ｂを備えた両翼部を備えるガス検知管テンプレートの一実施形態を示す。目盛カードが、ポケットに確実に適合し、損傷なしに取り外され得るように、目盛カードは、ポケットと相補的な形状を有する。左翼部２２Ａおよび右翼部２２Ｂは、下側（ポケットの底部に接する側）が翼部を通して見られ得るように、透明である。
【００４８】
別の実施形態において、検知管テンプレートは、２つの目盛ホルダに接続された第１の検知管ホルダ６１および第２の検知管ホルダ６２を備え得る。第１のガス検知管ホルダ６１は、１つの大きさのガス検知管（例えば、５ｍｍの直径のガス検知管など）に合わせた大きさとされ得、第２のガス検知管ホルダ６２は、異なる大きさのガス検知管（例えば、７ｍｍの直径のガス検知管など）に合わせた大きさとされ得る。
【００４９】
ガス検知管テンプレート７０の一実施形態は、図７に示されている。ガス検知管テンプレート７０は、ヒンジ７３によってヒンジ接続される左側目盛ホルダ７１および右側目盛ホルダ７２を備える。ヒンジ７３は、左翼部７１および右翼部７２の相対的回転を可能にする。ガス検知管テンプレート７０のいくつかの実施形態では、ヒンジ７３は、一方の翼部７１のナックル７３Ａ上の戻り止めを備え、この戻り止めは、他方の翼部７２のナックル７３Ｂ上の凹部と相互作用する。戻り止めは、凹部と相互作用して、ヒンジを様々な位置に固定して、様々な角度位置における側長の読取りを支援する。
【００５０】
ガス検知管テンプレート７０の実施形態は、図７に示されている。図７は、左翼部７１のポケット内に左側目盛カード７５が挿入され、右翼部７２のエッジ上のポケット内に右側目盛カード７６が挿入された状態で示されている。目盛カードは、表裏で異なる目盛を備える。図示された例において、操作者は、２ｐｐｍから４０ｐｐｍの間の酢酸の濃度を予想した。操作者は、２回のポンプストローク（ｎ＝２）を必要とする、本用途のための適当な目盛カードを挿入した。しかしながら、酢酸の濃度が予想されたよりも高かったので、最初のポンプストロークの後に、側長は、読取り可能な目盛内へ伸びた。ガス検知管テンプレート７０は、ヒンジ接続された両翼部を備え、目盛カードは、前面上の１つの目盛（２回のポンプストロークの後の対象ガスの濃度に対応する濃度境界を示す）と、背面上の異なる目盛（１回のポンプストロークの後の対象ガスの濃度に対応する濃度境界を示す）とを備えるので、どちらの翼部も、図７Ｂに示されるように、側長を解釈するために、背面の目盛を見せるようにヒンジ上で回転され得、左翼部７１は、目盛カード７５の背面を見せるように、右翼部７２の上へ回転された。そのため、目盛カードは、両側に異なる境界を有しており、異なる境界は、ガス検知管を通して引き込まれる試料の異なる量に対応する。目盛翼部は、管を回転させることなく、ガス検知管の周りに回転され得る。いくつかの実施形態では、ガス検知管は、静止したままであり、両翼部は、静止している管の回りを回転する。そのような場合、翼がガス検知管の周りに回転されるにつれて、例えば、チャネリングから結果として生じたガスのチャネリングを読み取るために同じ目盛が使用され得るように、目盛カードは、カードの両面に同じ目盛を備え得る。
【００５１】
ガス検知管テンプレート７０は、ヒンジ７３の上部７７とヒンジ７８の底部との間に位置するガス検知管ホルダをさらに備える。図７Ｃに示される一実施形態において、ガス検知管テンプレートのヒンジは、化学試薬の底と目盛カード上の０濃度境界とを位置合わせするために、ガス検知管をガス検知管ホルダに関して軸方向に移動させるための位置合わせ機構と共に示される。位置合わせ機構は、ヒンジのナックルを通って延在するピンを通るねじ穴を通って延在するねじ棒を備える。ねじ棒は、読取りのためにガス検知管が置かれる基礎部８２を調整するために回転され得る。ガス検知管チップは、使用前に壊されるので、使用されるガス検知管の長さは異なることがあり、スタンドの正確な長さを、したがって、試料中に存在するガスの濃度を決定するためには、テンプレートにおいて適切に位置合わせされなければならない。ガス検知管テンプレートの１つの実施形態において、目盛ホルダは、検知管と目盛カードとを位置合わせさせる位置合わせマークを備える。
【００５２】
ガス検知管上の側長を解釈する方法の一実施形態は、インターネットから目盛カードをダウンロードするステップを含む。ガス検知管、ガス検知管パッケージングまたは命令は、一定の用途のための正確な目盛カードにアクセスし、ダウンロードし、および／または印刷するためのコードを含み得る。各ガス検知管に関連付けられた、いくつかの目盛カードが存在し得る。カードは、例えば、ガス検知管を通して引き込まれた試料の体積に基づいた、異なる目盛境界を含んでもよい。
【００５３】
本方法の一実施形態は、以下のフォーマットにおいて、かつ、以下の情報を備えた状態で、ウェブサイト上で保持され、アクセス可能である、２つの目盛を含むであろう。
【００５４】
【表２】
2018512579.tif 000004
【００５５】
次いで、目盛カードは、各タイプの管ごとに、および、そのタイプの管の各特定のロットごとに印刷され得る。重要な目盛情報のウェブサイト上でのこの保持は、検知管部品番号、ロット番号、ならびに、特定された部品番号およびロット番号と共に使用するべき正確な目盛に関する関連情報への連続的なアクセスを可能にするであろう。したがって、ユーザが検知管を適切に読み取ることを可能にする。
【００５６】
（実施例）
硫化水素の濃度の決定
いくつかの場合において、１つの対象化合物の濃度の決定は、１１個の異なる検知管上に印刷された、１１個の異なるＨ２Ｓ濃度の目盛を備えた１１個もの別個の検知管を有し得る。例えば、ＧＡＳＴＥＣ  ＣＯＲＰＯＲＡＴＩＯＮ（商標）は、サンプリングされたガスにおける硫化水素（Ｈ２Ｓ）の濃度を決定するために、１１本の管を製造する。１１個の異なる検知管および目盛は、硫化水素を検出するためのほんの３つの異なる検知管の試薬化合物の調合物に基づいており、３つの試薬調合物の各々についての検知管目盛は、以下の通りである。
【００５７】
【表３】
2018512579.tif 000005
【００５８】
ＧＡＳＴＥＣ（商標）の１１個のＨ２Ｓ検知管の各々は、２つの範囲のみを有する管４ＨＨを除いて、各目盛につき３つの範囲を有する。ＧＡＳＴＥＣ（商標）の１１個の検知管部品番号によって定義された１１個の目盛を用いたＨ２Ｓ測定について合計３２の範囲がある。しかしながら、３つの異なる検知管に収容された３つの個々の検知管試薬調合物のみが存在しており、検知管の各々は、長さが同一である。電子管読取り機を使用し、３本の試薬調合管の各々に所望の目盛および範囲を電子的に適用することは、各化学試薬調合物のための１つの検知管が、目盛が印刷された１１本の異なるＨ２Ｓ管全てを置換し得ることを示す。これは、試薬調合を識別し、次いで、管読取り機に、適用可能な試薬調合に基づいた各検知管の各検知管読取りに使用するための電子目盛および範囲を伝えることによって、電子的に達成される。
【００５９】
同じ方法で、より高い精度に向けて、検知管の中央に所望の濃度の中心を置くために新しい目盛が生成され得る。さらに、限られた需要が理由で、管上に印刷された目盛と共に生成するには高価すぎる、顧客の特定のニーズに適するように、電子目盛を用いて専用の目盛が生成されてもよい。最後に、検知管上に印刷された目盛とは対照的に、電子目盛により可能となる、より大きな分解能が理由で、物理的制約のために検知管上に印刷することができないであろう目盛が、管読取り機の電子目盛を使用すれば印刷可能となる。
【００６０】
電子読取り機の使用は、検知管試薬調合物に基づいて、検知管のはるかに大きな一般的な製品の製造を可能にし、したがって、ほんの３つの検知管を製造することで置換され得る、異なる目盛を備えた１１個の異なる検知管のコストを低減し、在庫維持費を削減する。異なるＨ２Ｓで管試薬調合に関連付けた、異なる部品番号が、（ｉ）異なる相互干渉を制限し、または異なる相互干渉から保護するための同一のフィルタリング媒体も特定し、（ｉｉ）検知管の内径が同一であるとすれば、１１個の部品番号に対して３本の管のみを製造するこの分析は真となる。異なるフィルタリング媒体が、同じ試薬調合を使用する異なる部品番号と共に使用される場合、または異なる部品番号が、異なる内径を備えた検知管を定義する場合、１１本のＨ２Ｓ管は、３本の管から製造され得ないであろう。
【００６１】
Ｈ２Ｓ検知管試薬調合物について、下記は、以下の通り、各目盛の範囲の数である。
３つの試薬調合物
Ａ＝Ｈ２Ｓ＋ＣＵＳＯ４→ＣＵＳ＋Ｈ２ＳＯ４
Ｂ＝Ｈ２Ｓ＋Ｐｂ（ＣＨ３ＣＯＯ）２→ＰｂＳ＋２ＣＨ３ＣＯＯＨ
Ｃ＝Ｈ２Ｓ＋ＨｇＣｌ２→ＨｇＣＬ＋Ｂａｓｅ→Ｃｈｌｏｒｉｎｅ（またはＨｇＳＨＣｌ＋ＨＣｌ）
【００６２】
【表４】
2018512579.tif 000006
【００６３】
説明されたガス検知管、ガス検知管読取り機および方法の実施形態は、本明細書において開示された特定の実施形態、構成要素、方法ステップ、および材料に限定されない。なぜならば、そのような構成要素、工程ステップ、および材料は、変わってもよいからである。さらに、本明細書において使用された用語は、例示的な実施形態を説明する目的で使用されているにすぎず、本発明の様々な実施形態の範囲は、添付の特許請求の範囲およびその均等物によってのみ限定されるので、用語は、限定的であることを意図されていない。
【００６４】
したがって、本発明の実施形態は、例示的な実施形態を参照して説明されているが、当業者は、添付の特許請求の範囲において定義されるように、本発明の範囲内で変形および変更がもたらされ得ることを理解するであろう。したがって、本発明の様々な実施形態の範囲は、上記で論じられた実施形態に限定されるべきではなく、以下の特許請求の範囲およびあらゆる均等物によってのみ定義されるべきである。
【符号の説明】
【００６５】
１０  ガス検知管
１１  透明管
１２  チップ
１３  チップ
１４  境界
２０  ガス検知管テンプレート
２１  ホルダ
２２Ａ  目盛ホルダ
２２Ｂ  目盛ホルダ
２３Ａ  目盛ポケット
２３Ｂ  目盛ポケット
２５  ヒンジ接続
２６Ａ  右側ホルダ歯部
２６Ｂ  左側ホルダ歯部
３３  ストップ
４０  ガス検知管テンプレート
５１  保持器突起部
６１  第１の検知管ホルダ
６２  第２の検知管ホルダ
７０  ガス検知管テンプレート
７１  左翼部
７２  右翼部
７３  ヒンジ
７３Ａ  ナックル
７３Ｂ  ナックル
７５  左側目盛カード
７６  右側目盛カード
７７  上部
７８  ヒンジ
８２  基礎部
【図１Ａ】
2018512579.tif 000007
【図１Ｂ】
2018512579.tif 000008
【図１Ｃ】
2018512579.tif 000009
【図２】
2018512579.tif 000010
【図２Ａ】
2018512579.tif 000011
【図３】
2018512579.tif 000012
【図４】
2018512579.tif 000013
【図５】
2018512579.tif 000014
【図６】
2018512579.tif 000015
【図７】
2018512579.tif 000016
【図７Ｂ】
2018512579.tif 000017
【図７Ｃ】
2018512579.tif 000018
【手続補正書】
【提出日】平成30年1月19日(2018.1.19)
【手続補正１】
【補正対象書類名】明細書
【補正対象項目名】００１３
【補正方法】変更
【補正の内容】
【００１３】
ガス検知管は、サンプリングされたガスにおける対象ガスの濃度を決定するために使用
され得る。従来、ガス検知管は、試薬の側長と、透明管上に印刷された、またはエッチン
グされた校正曲線とを比較することによって、視覚的に読み取られてきた。しかしながら
、電子管読取り機は、光学画像技術によって側長を読み取り、メモリ内に記憶された校正
曲線を使用することによって、この側長を対象化合物の濃度に変換することが可能である
。電子管読取り機は、試薬を鮮明に見ることを妨害する濃度境界を有しない透明管を備え
たガス検知管と共に使用されることが好適である。
【手続補正２】
【補正対象書類名】明細書
【補正対象項目名】００２６
【補正方法】変更
【補正の内容】
【００２６】
ガス検知管は、サンプルガスにおける少なくとも１つの対象ガス、同様の官能基を備え
る対象ガス族、または対象ガス群（集団的に「対象ガス」）の濃度を決定するために、典
型的には、特殊な化学試薬を用いて製造される。ガス検知管用の典型的な化学試薬は、ガ
ス検知管の入口からガス検知管の出口へガスが流れることを可能にする経路を粒子間に備
えた多孔性の固形粒子を備え、または化学試薬は、多孔性の固体基板の表面上に存在する
。化学試薬は、試薬が対象ガスと接触した場合に色を変化させ（「比色反応」）、典型的
には、化学試薬と対象ガスとは、反応して色変化をもたらすであろう。試料がガス検知管
を通過するにつれて、サンプリングされたガスから対象ガスが枯渇するまで、対象ガスは
化学試薬との比色反応に関与する。ガス検知管において使用される多くの試薬が知られて
おり、ガス検知管の実施形態に適用可能である。試料は、典型的には、サンプリングポン
プによってガス検知管を通って引き込まれる。一般的な試料ポンプは、既知の体積の空気
を正確に繰り返し引き込むことが可能な、携帯型のピストンポンプまたはベローズポンプ
を含む。
【手続補正３】
【補正対象書類名】明細書
【補正対象項目名】００２９
【補正方法】変更
【補正の内容】
【００２９】
図１Ａ、図１Ｂおよび図１Ｃのガス検知管１０は、透明管１１を備える。使用前の貯蔵
中には、透明管は、入口端においてチップ１２により密閉され、出口端においてチップ１
３により密閉される。本明細書において、「管」とは、任意の断面形状の流路を画定する
導管を意味する。断面形状は、円形、楕円形、長方形、正方形、多角形、または任意の所
望の横断面形状であってよい。管は、当業者によって理解されるように、管を密閉するた
めのキャップ、隔壁または他の手段を使用し、チップのために管の両端を単純に加熱し、
つまむことによって密閉され得る。
【手続補正４】
【補正対象書類名】明細書
【補正対象項目名】００３５
【補正方法】変更
【補正の内容】
【００３５】
目盛境界のないガス検知管は、別個の目盛なしでは、視覚的に直接読み取ることができ
ない。しかしながら、ガス検知管の視覚的な読取りは、ガス検知管を通して引き込まれた
試料の異なる体積（ポンプストロークの回数）に必要な目盛および／または計算の種類に
よって複雑になる。操作者は、忘れずにストローク数を数え、次いで、管マーキングを読
み取って、ガス検知管の目盛境界からの濃度読取りを適切に計算するために必要な係数を
決定しなければならない。
【手続補正５】
【補正対象書類名】明細書
【補正対象項目名】００４６
【補正方法】変更
【補正の内容】
【００４６】
ガス検知管テンプレート２０の実施形態は、翼部２２Ａ、２２Ｂが図２Ａに示された方
向θに回転され得るように、ヒンジ２５も含み得る。左側ホルダ歯部２６Ａは、右側ホル
ダ歯部２６Ｂから分離されており、ガス検知管ホルダ２１を開いて、ガス検知管がガス検
知管ホルダ２１内に配置されることを可能にする。ヒンジが（図２Ａに示される）元の位
置に戻されると、歯部２６Ａおよび２６Ｂは、ガス検知管をガス検知管ホルダ２１内に保
つ。
【手続補正６】
【補正対象書類名】明細書
【補正対象項目名】００４８
【補正方法】変更
【補正の内容】
【００４８】
別の実施形態において、ガス検知管テンプレートは、２つの目盛ホルダに接続された第
１の検知管ホルダ６１および第２の検知管ホルダ６２を備え得る。第１のガス検知管ホル
ダ６１は、１つの大きさのガス検知管（例えば、５ｍｍの直径のガス検知管など）に合わ
せた大きさとされ得、第２のガス検知管ホルダ６２は、異なる大きさのガス検知管（例え
ば、７ｍｍの直径のガス検知管など）に合わせた大きさとされ得る。
【手続補正７】
【補正対象書類名】明細書
【補正対象項目名】００４９
【補正方法】変更
【補正の内容】
【００４９】
図７に示されているガス検知管テンプレート７０の一実施形態は、ヒンジ７３によって
ヒンジ接続される左側目盛ホルダ７１および右側目盛ホルダ７２を備える。ヒンジ７３は
、左翼部７１および右翼部７２の相対的回転を可能にする。ガス検知管テンプレート７０
のいくつかの実施形態では、ヒンジ７３は、一方の翼部７１のナックル７３Ａ上の戻り止
めを備え、この戻り止めは、他方の翼部７２のナックル７３Ｂ上の凹部と相互作用する。
戻り止めは、凹部と相互作用して、ヒンジを様々な位置に固定して、様々な角度位置にお
ける側長の読取りを支援する。
【手続補正８】
【補正対象書類名】特許請求の範囲
【補正対象項目名】全文
【補正方法】変更
【補正の内容】
【特許請求の範囲】
【請求項１】
ガス検知管を可逆的に収容することが可能なガス検知管ホルダと、
前記ガス検知管ホルダの左側にヒンジ接続された左側目盛ホルダであって、前記左側目
盛ホルダは、左側目盛ポケットを備える、左側目盛ホルダと、
前記ガス検知管ホルダの右側にヒンジ接続された右側目盛ホルダであって、前記右側目
盛ホルダは、右側目盛ポケットを備える、右側目盛ホルダと、
前記右側目盛ポケット内に可逆的に収容されることが可能な右側目盛カードであって、
前記右側目盛カードは、前記右側目盛カードの前面上の、前記ガス検知管内の対象化合物
の側長を解釈するための境界の第１のセットと、前記右側目盛カードの背面上の、前記ガ
ス検知管内の対象化合物の側長を解釈するための境界の第２のセットとを備え、前記境界
の第１のセットは、前記境界の第２のセットと異なる、右側目盛カードと、
前記左側目盛ポケット内に可逆的に収容されることが可能な左側目盛カードであって、
前記左側目盛カードは、前記左側目盛カードの前面上の前記境界の第１のセットと、前記
左側目盛カードの背面の前記境界の第２のセットとを備える、左側目盛カードと、
を備える、ガス検知管テンプレート。
【請求項２】
前記ガス検知管ホルダは、円筒状、部分的に円筒状、楕円形である、請求項１に記載の
ガス検知管テンプレート。
【請求項３】
前記左側目盛ホルダおよび前記右側目盛ホルダにヒンジ接続された第２の検知管ホルダ
を備える、請求項１に記載のガス検知管テンプレート。
【請求項４】
前記ガス検知管は、前記ガス検知管上に印刷された、対象化合物の側長を解釈するため
の境界のセットを有しない、請求項１に記載のガス検知管テンプレート。
【請求項５】
２つの前記右側及び左側目盛ホルダは、前記右側及び左側目盛カードの前記前面および
前記背面上の前記境界を見るための少なくとも１つの透明な部分を備える、請求項１に記
載のガス検知管テンプレート。
【請求項６】
前記右側及び左側目盛ポケットは、前記右側及び左側目盛ホルダの上面に位置する、請
求項１に記載のガス検知管テンプレート。
【請求項７】
前記右側及び左側目盛ポケットは、前記右側及び左側目盛ホルダのエッジに位置する、
請求項１に記載のガス検知管テンプレート。
【請求項８】
前記境界は、前記ガス検知管を通して引き込まれた試料における対象化合物の割合に対
応する、請求項１に記載のガス検知管テンプレート。
【請求項９】
異なる前記境界は、前記ガス検知管を通して引き込まれた試料の異なる量に対応する、
請求項１に記載のガス検知管テンプレート。
【請求項１０】
前記右側及び左側目盛カードは、前記対象化合物と、前記ガス検知管を通して引き込ま
れる試料の体積とに基づいて、オンラインソースから印刷されたものである、請求項１に
記載のガス検知管テンプレート。
【請求項１１】
前記右側及び左側目盛ホルダの各々は、前記ガス検知管と前記右側及び左側目盛ホルダ
内の前記右側及び左側目盛カードとを位置合わせするための位置合わせマークを備える、
請求項１に記載のガス検知管テンプレート。
【請求項１２】
前記ガス検知管ホルダ内に前記ガス検知管を確実に保持することが可能な保持器アセン
ブリを備える、請求項１に記載のガス検知管テンプレート。
【請求項１３】
試薬を含むガス検知管であって、前記試薬は、対象化合物への曝露により色を変化させ
、前記ガス検知管は、取得された側長に基づいた、前記ガス検知管を通して引き込まれた
試料における前記対象化合物の割合に対応する境界を有しない、ガス検知管と、
２枚の第１の目盛カードであって、各第１のカードは、前面と背面との両方に境界を備
え、前記境界は、取得された側長に基づいた、前記ガス検知管を通して引き込まれた試料
における対象化合物の割合に対応し、前記第１の目盛カードの前記前面上の前記境界は、
前記第１の目盛カードの前記背面上の前記境界と異なる、２枚の第１の目盛カードと、
前記ガス検知管を取り外し可能に収容するためのホルダと、前記２枚の第１の目盛カー
ドを可逆的に収容するための２つのポケットと、前記試料における前記対象化合物の前記
割合を適切に読み取るために前記第１の目盛カードを位置合わせするための位置合わせ印
と、を備える、ガス検知管ホルダアセンブリと、
を備える、ガス検知管を解釈するためのキット。
【請求項１４】
２枚の付加的な目盛カードを備え、各付加的な目盛カードは、取得された側長に基づい
た、前記ガス検知管を通して引き込まれた試料における第２の対象化合物の割合に対応す
る境界を備え、前記付加的な目盛カード上の前記境界は、前記第１の目盛カード上の前記
境界と異なる、請求項１３に記載のガス検知管を解釈するためのキット。
【請求項１５】
電子ガス検知管読取り機を備える、請求項１３に記載のガス検知管を解釈するためのキ
ット。
【国際調査報告】
2018512579.tif 000019